(57)【特許請求の範囲】
【請求項１】
記録媒体に画像を形成する画像形成装置であって、
原稿の画像を読み取る画像読取部と、
前記画像読取部を支持する筐体と、
前記筐体に前記画像読取部を位置決めする位置決め部と
を備え、
前記画像読取部は、樹脂製のフレームを有し、
前記位置決め部は、
前記筐体に固定される複数の板状部材と、
前記画像読取部に固定される少なくとも２つの挿通部材と
を有し、
前記筐体には、上方に突出する突出部が配置され、
前記突出部は、前記画像読取部の側面に隣接し、
前記複数の板状部材のうち、少なくとも２つの板状部材が長孔を有し、
前記少なくとも２つの板状部材のうちの一方は、前記突出部から離間している位置に配置され、水平方向に沿って延びる前記長孔を有し、
前記少なくとも２つの挿通部材のうちの一方は、前記水平方向に沿って延びる前記長孔に挿通され、
前記少なくとも２つの板状部材のうち他の一方は、前記一方の前記板状部材よりも前記突出部に近い位置に配置され、鉛直方向に沿って延びる前記長孔を有し、
前記少なくとも２つの挿通部材のうちの他方は、前記鉛直方向に沿って延びる前記長孔に挿通される、画像形成装置。
【請求項２】
前記挿通部材は、頭部と連結部とネジ部とを有し、
前記連結部は、円柱状であり、前記頭部と前記ネジ部との間に配置され、
前記連結部の外径は、前記ネジ部の外径よりも大きく、
前記挿通部材の軸方向に沿った前記連結部の長さは、前記板状部材の厚みより大きく、
前記頭部と前記板状部材との間に間隙が形成されている、請求項１に記載の画像形成装置。
【請求項３】
前記筐体は、前記筐体の外周面を構成する側板を有し、
前記筐体には、前記画像を前記記録媒体に定着させる定着部が配置され、
前記複数の板状部材のうち、前記長孔を有する前記板状部材は、前記定着部の配置された側の前記側板に配置される、請求項１または請求項２に記載の画像形成装置。
【発明の詳細な説明】
【技術分野】
【０００１】
本発明は、画像形成装置に関する。
【背景技術】
【０００２】
特許文献１に記載の画像形成装置は、画像読取装置の第１筐体と画像形成装置本体の第２筐体とを備える。第１筐体は、フック及び凸部材を有する。フックは、第１筐体を第２筐体に係合する。凸部材は、第１筐体の水平方向の両端部に形成され、第１筐体が移動する移動方向に平行になるようにガイドする。第２筐体は、穴及び凹部材を有する。穴には、フックが係合する。凹部材は、フックが穴に係合する際に第１筐体が移動する移動方向に平行になるようにガイドする。
【０００３】
そして、第１筐体を第２筐体に載置し、第１筐体を凹部材及び凸部材に沿ってスライドさせてフックを穴に係合させることによって第１筐体を第２筐体に係合する。
【先行技術文献】
【特許文献】
【０００４】
【特許文献１】特開２００３−２０９６４７号公報
【発明の概要】
【発明が解決しようとする課題】
【０００５】
しかしながら、特許文献１に記載の画像形成装置では、第１筐体が伸縮した場合に、原稿画像を適正に読み取れない可能性がある。例えば、第１筐体が樹脂製のフレームを有し、第２筐体が金属製のフレームを有する場合には、温度の変化によって第１筐体の伸縮量が第２筐体の伸縮量より大きくなる。温度が低下して第１筐体及び第２筐体が縮むと、第１筐体の凸部材が第２筐体を押圧するため、第２筐体からの反力によって第１筐体が撓む可能性がある。その結果、画像読取装置の光学系が撓み、原稿画像を適正に読み取れない可能性がある。
【０００６】
本発明は、上記課題に鑑みてなされたものであり、樹脂フレームを使用して原稿画像を適正に読み取ることのできる画像形成装置を提供することを目的としている。
【課題を解決するための手段】
【０００７】
本発明の画像形成装置は、記録媒体に画像を形成する画像形成装置である。前記画像形成装置は、画像読取部、筐体、及び位置決め部を備える。前記画像読取部は、原稿の画像を読み取る。前記筐体は、前記画像読取部を支持する。前記位置決め部は、前記筐体に前記画像読取部を位置決めする。前記画像読取部は、樹脂製のフレームを有する。前記位置決め部は、複数の板状部材と挿通部材とを有する。前記複数の板状部材は、前記筐体に固定される。前記挿通部材は、前記画像読取部に固定される。前記複数の板状部材のうち、少なくとも１つの板状部材は、前記挿通部材が挿通される長孔を有する。
【発明の効果】
【０００８】
本発明の画像形成装置によれば、樹脂フレームを使用して原稿画像を適正に読み取ることができる。
【図面の簡単な説明】
【０００９】
【図１】本発明の実施形態に係る画像形成装置の構成を示す図である。
【図２】画像形成装置の外観を示す斜視図である。
【図３】第１板状部材を示す斜視図である。
【図４】第２板状部材を示す斜視図である。
【図５】（ａ）２段ネジを示す図である。（ｂ）第２板状部材を画像読取部に固定する２段ネジを示す断面図である。
【発明を実施するための形態】
【００１０】
以下、本発明の実施形態について、図面（図１〜図５）を参照しながら説明する。なお、図中、同一又は相当部分については同一の参照符号を付して説明を繰り返さない。
【００１１】
まず、図１を参照して、本発明の実施形態に係る画像形成装置１００について説明する。図１は、画像形成装置１００の構成を示す図である。図１に示すように、画像形成装置１００は、複合機である。画像形成装置１００は、原稿の画像を読み取ると共に、用紙Ｐ（記録媒体）上に画像を形成する装置である。具体的には、画像形成装置１００は、画像形成ユニット１及び画像読取ユニット２を備える。
【００１２】
また、図１には、Ｘ軸、Ｙ軸及びＺ軸を記載している。Ｚ軸は、鉛直方向に平行である。Ｘ軸及びＹ軸は、水平方向に平行である。Ｘ軸、Ｙ軸及びＺ軸は互いに直交する。具体的には、Ｘ軸は、画像形成装置１００の幅方向を示す。Ｙ軸は、画像形成装置１００の前後方向を示す。
【００１３】
画像形成ユニット１は、第１筐体１１、給送部１２、搬送部Ｌ、画像形成部１４、定着部１７、排出部１８、及び載置トレイ１９を備える。画像形成部１４は、転写部１５を含む。
【００１４】
第１筐体１１は、給送部１２、搬送部Ｌ、画像形成部１４、定着部１７、排出部１８、及び載置トレイ１９を収容する。第１筐体１１は、画像読取ユニット２を支持する。第１筐体１１は、金属製（例えば、ステンレス鋼製）のフレームを有している。ステンレス鋼の線膨張係数は、１．７×１０-5℃-1である。
【００１５】
給送部１２は、用紙Ｐを搬送部Ｌへ供給する。搬送部Ｌは、用紙Ｐを、転写部１５及び定着部１７を経由して排出部１８まで搬送する。
【００１６】
画像形成部１４は、用紙Ｐに画像を形成する。画像形成部１４は、画像形成部１４ｃ、画像形成部１４ｍ、画像形成部１４ｙ、及び画像形成部１４ｋを更に含む。
【００１７】
転写部１５は、中間転写ベルト１５４を備える。画像形成部１４ｃ〜画像形成部１４ｋが、それぞれ、中間転写ベルト１５４上にトナー像を転写する。複数個のトナー像が中間転写ベルト１５４上で重畳され、中間転写ベルト１５４上に画像が形成される。転写部１５は、中間転写ベルト１５４上に形成された画像を、用紙Ｐ上に転写する。その結果、用紙Ｐ上に画像が形成される。
【００１８】
定着部１７は、用紙Ｐを加熱及び加圧し、用紙Ｐに形成された画像を用紙Ｐに定着する。排出部１８は、用紙Ｐを載置トレイ１９上へ排出する。載置トレイ１９は、用紙Ｐを積層して載置する。
【００１９】
画像読取ユニット２は、第２筐体２０、コンタクトガラス２１０、走査部２２、及びレール部材２３を備えている。画像読取ユニット２は、「画像読取部」に相当する。
【００２０】
第２筐体２０は、コンタクトガラス２１０、走査部２２、及びレール部材２３を収容する。第２筐体２０は、フレームを有する。第２筐体２０は、フレームを含めて、樹脂で形成されている。例えば、第２筐体２０は、ポリカーボネートで形成されている。ポリカーボネートの線膨張係数は、６．５×１０-5℃-1であり、ステンレス鋼の線膨張係数より大きい。
【００２１】
コンタクトガラス２１０には、原稿が載置される。
【００２２】
走査部２２は、ＣＩＳユニット２２１及びキャリッジ２２２を備える。ＣＩＳ（Ｃｏｎｔａｃｔ  Ｉｍａｇｅ  Ｓｅｎｓｏｒ）ユニット２２１は、ＬＥＤ（Ｌｉｇｈｔ  Ｅｍｉｔｔｉｎｇ  Ｄｉｏｄｅ）、コンタクトガラス、結像レンズ、及びイメージセンサーを備え、これら各部材が一体化されたユニットである。キャリッジ２２２は、ＣＩＳユニット２２１と一体に形成されている。
【００２３】
レール部材２３は、副走査方向（Ｘ軸方向）に延び、キャリッジ２２２を移動可能に支持する。
【００２４】
走査部２２がレール部材２３に沿って副走査方向に移動し、ＣＩＳユニット２２１がコンタクトガラス２１０上に載置された原稿の画像を読み取る。
【００２５】
次に、図２を参照して、画像形成装置１００について説明する。図２は、画像形成装置１００の外観を示す斜視図である。図２に示すように、第１筐体１１は、天板１１０、側板１１１、側板１１２、側板１１３、及び側板１１４を有する。天板１１０は、第１筐体１１におけるＺ軸の正方向側の外周面（上面）を構成する。天板１１０は、画像読取ユニット２を支持する。
【００２６】
側板１１１は、第１筐体１１におけるＸ軸の負方向側の外周面を構成する。側板１１２は、第１筐体１１におけるＹ軸の正方向側の外周面を構成する。側板１１３は、第１筐体１１におけるＸ軸の正方向側の外周面を構成する。側板１１４は、第１筐体１１におけるＹ軸の負方向側の外周面を構成する。
【００２７】
また、第１筐体１１は、操作表示部４を更に備える。操作表示部４は、第１筐体１１から上方に突出する。また、操作表示部４は、画像読取ユニット２に対してＹ軸の負方向側に隣接して配置される。操作表示部４は、ユーザーからの操作を受け付けると共に、種々の情報を表示する。操作表示部４は、表示部４１を備える。表示部４１は、ＬＣＤ（Ｌｉｑｕｉｄ  Ｃｒｙｓｔａｌ  Ｄｉｓｐｌａｙ）、及びタッチセンサーを備える。表示部４１は、種々の情報を表示する。操作表示部４は、「突出部」の一例に相当する。
【００２８】
画像読取ユニット２は、４つの脚部２４１、脚部２４２、脚部２４３、及び脚部２４４を更に備える。脚部２４１〜脚部２４４を脚部２４と総称する場合がある。脚部２４は第２筐体２０と一体に形成される。脚部２４は、天板１１０に当接し、第２筐体２０を支持する。
【００２９】
画像形成装置１００は、位置決め部５０を更に備える。位置決め部５０は、画像読取ユニット２を第１筐体１１に位置決めする。位置決め部５０は、複数の板状部材５と、２段ネジ６（不図示）とを備える。複数の板状部材５は、第１筐体１１に固定される。２段ネジ６は、画像読取ユニット２に固定される。
【００３０】
複数の板状部材５は、側板１１１の上端及び側板１１３の上端に固定される。複数の板状部材５は、それぞれ、略矩形状に形成され、第１板状部材５１及び第２板状部材５２を含む。第１板状部材５１及び第２板状部材５２は、それぞれ、側板１１１の上端部（Ｚ軸の正方向の端部）に固定される。また、第１板状部材５１は、側板１１１のＹ軸の負方向の端部に固定される。第２板状部材５２は、側板１１１のＹ軸の正方向の端部に固定される。
【００３１】
定着部１７は、第１筐体１１のＹ軸の負方向側の端部に配置される（図１参照）。すなわち、定着部１７は、側板１１１の近傍に配置される。第１板状部材５１及び第２板状部材５２は、定着部１７の配置された側の側板１１１に配置されている。
【００３２】
板状部材５は、板状部材５３及び板状部材５４を更に含む。板状部材５３及び板状部材５４は、それぞれ、側板１１２の上端部（Ｚ軸の正方向の端部）に固定される。また、板状部材５３は、側板１１３のＹ軸の負方向側の端部に固定される。板状部材５４は、側板１１３のＹ軸の正方向側の端部に固定される。
【００３３】
次に、図３を参照して、第１板状部材５１について説明する。図３は、第１板状部材５１を示す斜視図である。図３に示すように、第１板状部材５１は、長孔５１１、丸孔５１２、丸孔５１３、及び丸孔５１４を有する。丸孔５１２〜丸孔５１４は、第１板状部材５１の一辺５１ａ（Ｙ軸方向）に沿って形成され、長孔５１１は、一辺５１ａと対向する他辺５１ｂの近傍に配置される。長孔５１１は、一辺５１ａと直交する方向（Ｚ軸方向）に延びている。長孔５１１には、２段ネジ６が挿通される。２段ネジ６は、脚部２４１に固定される。２段ネジ６は、図面の簡略化のため、２段ネジ６の頭部６１（図５参照）の位置を２点鎖線で示している。
【００３４】
側板１１１の上端のＹ軸の負方向側の端部には、位置決め突起１１６、位置決め突起１１８、及びネジ穴１１７が形成されている。位置決め突起１１６、１１８及びネジ穴１１７は、Ｙ軸に沿って配列される。
【００３５】
丸孔５１２には、位置決め突起１１６が挿通され、丸孔５１４には、位置決め突起１１８が挿通され、第１板状部材５１は第１筐体１１に位置決めされる。丸孔５１３には、ネジ（図示省略）が挿通され、ネジはネジ穴１１７と螺合する。その結果、第１板状部材５１は、第１筐体１１にＹ軸及びＺ軸と平行に固定される。
【００３６】
長孔５１１には２段ネジ６が挿通される。脚部２４１には、２段ネジ装着部２０１が形成されている。２段ネジ装着部２０１は、ネジ穴２０２及び凹部２０２ａを有する。ネジ穴２０２は、２段ネジ６のネジ部６３（図５参照）と螺合する。凹部２０２ａには、２段ネジ６の胴部６２（図５参照）の一方側（ネジ部に隣接する側）端部が当接する。第１板状部材５１は、２段ネジ６を介して、長孔５１１の延びる方向（Ｚ軸方向）に移動可能に第２筐体２０を位置決めする。
【００３７】
以上、図１〜図３を参照して説明したように、画像読取ユニット２は、樹脂製のフレームを有する。第１筐体１１は、ステンレス製のフレームを有する。よって、画像読取ユニット２の熱膨張率は、第１筐体１１の熱膨張率より大きい。したがって、温度が上昇する程、画像読取ユニット２の膨張量が第１筐体１１の膨張量よりも大きくなる。また、第１筐体１１には、複数の板状部材５が固定される。複数の板状部材５のうち第１板状部材５１は、２段ネジ６を挿通する長孔５１１を有する。よって、画像読取ユニット２の膨張量が第１筐体１１の膨張量よりも大きい場合には、画像読取ユニット２を長孔５１１の延びている方向に膨張させることができる。したがって、画像読取ユニット２と第１筐体１１との膨張量の差に起因して画像読取ユニット２が撓む事態を回避できる。その結果、画像読取ユニット２に樹脂フレームを使用した場合にも、画像読取ユニット２が原稿画像を適正に読み取ることができる。
【００３８】
また、複数の板状部材５のうち、他の少なくとも１つの板状部材（例えば、第１板状部材５１）は、鉛直方向に延びる長孔５１１を有する。よって、画像読取ユニット２の鉛直方向の膨張量が第１筐体１１の鉛直方向の膨張量よりも大きくなった場合に、画像読取ユニット２をスムーズに膨張させることができる。したがって、画像読取ユニット２と第１筐体１１との膨張量の差に起因して画像読取ユニット２が撓む事態を確実に回避できる。
【００３９】
更に、第１筐体１１は、トナー像を用紙Ｐに定着する定着部１７を備える。また、長孔を有する板状部材（本実施形態では、第１板状部材５１及び第２板状部材５２）は、定着部１７の配置された側の側板１１１に配置される。よって、定着部１７の熱によって画像読取ユニット２が熱膨張する場合にも、画像読取ユニット２をスムーズに膨張させることができる。したがって、画像読取ユニット２と第１筐体１１との膨張量の差に起因して画像読取ユニット２が撓む事態を確実に回避できる。
【００４０】
次に、図４を参照して、第２板状部材５２について説明する。図４は、第２板状部材５２を示す斜視図である。第２板状部材５２は、長孔５２１、丸孔５２２、丸孔５２３、及び丸孔５２４を有する。丸孔５２２〜丸孔５２４は、第２板状部材５２の一辺５２ａ（Ｙ軸方向）に沿って形成され、長孔５２１は、一辺５２ａと対向する他辺５２ｂの近傍に配置される。長孔５２１は、一辺５２ａと平行な方向（Ｙ軸方向）に延びている。長孔５２１には、２段ネジ６が挿通される。２段ネジ６は、脚部２４２に固定される。２段ネジ６は、図面の簡略化のため、２段ネジ６の頭部６１（図５参照）の位置を２点鎖線で示している。
【００４１】
側板１１１の上端のＹ軸の正方向の端部には、位置決め突起１２６、位置決め突起１２８、及びネジ穴１２７が形成されている。位置決め突起１２６、位置決め突起１２８、及びネジ穴１２７は、Ｙ軸に沿って配列される。
【００４２】
丸孔５２２には、位置決め突起１２６が挿通され、丸孔５２４には、位置決め突起１２８が挿通され、第２板状部材５２は第１筐体１１に位置決めされる。丸孔５２３には、ネジ（図示省略）が挿通され、ネジはネジ穴１２７と螺合する。その結果、第２板状部材５２は、第１筐体１１（第１板状部材５１）にＹ軸及びＺ軸と平行に固定される。
【００４３】
長孔５２１には２段ネジ６が挿通される。脚部２４２には、２段ネジ装着部２０３が形成されている。２段ネジ装着部２０３は、ネジ穴２０４及び凹部２０４ａを有する。ネジ穴２０４には、長孔５２１に挿通された２段ネジ６のネジ部６３（図５参照）と螺合する。凹部２０４ａは、長孔５２１に挿通された２段ネジ６の胴部６２（図５参照）の一方側（ネジ部に隣接する側）端部が当接する。第２板状部材５２は、２段ネジ６を介して、長孔５２１の延びる方向（Ｙ軸方向）に移動可能に第２筐体２０を位置決めする。
【００４４】
以上、図１〜図４を参照して説明したように、第２板状部材５２は、長孔５２１を有し、長孔５２１は、水平方向（Ｙ軸方向）に延びている。よって、画像読取ユニット２の水平方向（Ｙ軸方向）の膨張量が第１筐体１１の水平方向（Ｙ軸方向）の膨張量よりも大きくなった場合にも、画像読取ユニット２をスムーズに膨張させることができる。したがって、画像読取ユニット２と第１筐体１１との膨張量の差に起因して画像読取ユニット２が撓む事態を確実に回避できる。
【００４５】
また、第１筐体１１には、上方に突出する操作表示部４が配置される。操作表示部４は、画像読取ユニット２の側面に隣接して配置される。複数の板状部材５のうち、第２板状部材５２は、操作表示部４から離間する側に配置され、水平方向に延びる長孔５２１を有する。複数の板状部材５のうち、第１板状部材５１は、第２板状部材５２よりも操作表示部４に近い側に配置され、鉛直方向に延びる長孔５１１を有する。第２板状部材５２が長孔５２１を有するため、画像読取ユニット２を水平方向（Ｙ軸方向）にスムーズに膨張させることができる。また、第１板状部材５１が、長孔５１１を有するため、画像読取ユニット２を鉛直方向（Ｚ軸方向）にスムーズに膨張させることができる。したがって、操作表示部４が画像読取ユニット２の側面に隣接して配置される場合であっても、画像読取ユニット２と第１筐体１１との膨張量の差に起因して画像読取ユニット２が撓む事態を確実に回避できる。
【００４６】
次に、板状部材５３及び板状部材５４について説明する。板状部材５３及び板状部材５４は、それぞれ、第１板状部材５１及び第２板状部材５２と同形状である。板状部材５３及び板状部材５４は、それぞれ、第１板状部材５１及び第２板状部材５２に対向する位置に取り付けられる。
【００４７】
３つの丸孔には、位置決め突起とネジとが挿通される。ネジは、それぞれ、側板１１３（又は、側板１１４）の上端部に形成されたネジ穴に螺合されて、固定される。よって、板状部材５３及び板状部材５４にＹ軸及びＺ軸と平行に固定される。
【００４８】
また、板状部材５３の長穴には、ネジが挿通される。ネジは、脚部２４３に形成されたネジ穴に螺合されて固定される。よって、板状部材５３は、脚部２４３を第１筐体１１に固定する。また、板状部材５４の長穴には、２段ネジ６が挿通される。２段ネジ６は、脚部２４４に形成されたネジ穴に螺合されて固定される。よって、板状部材５４は、脚部２４４を第１筐体１１に係合する。
【００４９】
次に、図５を参照して２段ネジ６について説明する。図５（ａ）は、２段ネジ６を示す図である。図５（ｂ）は、２段ネジ６を示すＶＢ−ＶＢ断面図（図４参照）である。図５（ｂ）は、第２板状部材５２を画像読取ユニット２に固定する２段ネジ６を示す。２段ネジ６は、「挿通部材」の一例に相当する。
【００５０】
図５（ａ）に示すように、２段ネジ６は、頭部６１、胴部６２、及びネジ部６３を有する。頭部６１、胴部６２、及びネジ部６３は、一体に形成されている。胴部６２は、「連結部」に相当する。
【００５１】
頭部６１は、略円柱状に形成される。頭部６１の直径ＬＢは、長孔５２１の短辺の長さＬＡ（図４及び図５（ｂ）参照）より大きい。
【００５２】
胴部６２は、頭部６１とネジ部６３との間に略円柱状に形成される。胴部６２の直径ＬＣは、長孔５２１の短辺の長さＬＢより小さい。胴部６２の長さＬ６は、第２板状部材５２の厚みＬ５２と凹部２０４ａの深さＬ２０４との和より長い。
【００５３】
ネジ部６３は、略円柱状に形成され、周面にネジ山が形成されている。
【００５４】
図５（ｂ）に示すように、２段ネジ６は、長孔５２１に挿通され、長孔５２１の延びる方向（Ｙ軸方向）に移動可能に第２筐体２０（画像読取ユニット２）を位置決めする。ネジ部６３は、ネジ穴２０４と螺合する。胴部６２の頭部６１から離間する側の端面は、凹部２０４ａの底面２０４ｂに当接する。頭部６１は、第２板状部材５２に対してネジ部６３の反対側に位置する。
【００５５】
第２板状部材５２は、Ｘ軸方向には、２段ネジ６の第２筐体２０側の面６１ａと、第２筐体２０の第２板状部材５２側の面２０ａとの間で移動可能である。また、胴部６２は、Ｙ軸方向に、長孔５２１の一方側端部５２１ａと他方側端部５２１ｂとの間で移動可能である。
【００５６】
以上、図１〜図５を参照して説明したように、挿通部材は、２段ネジ６である。２段ネジ６は、頭部６１、胴部６２、及びネジ部６３を有する。胴部６２は、頭部６１とネジ部６３との間に配置された円柱状の部材である。２段ネジ６の軸方向に沿った胴部６２の長さＬ６は、例えば、第２板状部材５２の厚みＬ５２と凹部２０４ａの深さＬ２０４との和より大きい。よって、第２板状部材５２は、２段ネジ６の画像読取ユニット２側の面６１ａと、画像読取ユニット２の第２板状部材５２側の面２０ａとの間で移動可能である。したがって、画像読取ユニット２の膨張量が第１筐体１１の膨張量よりも大きくなった場合に、画像読取ユニット２を長孔５２１の延びている方向にスムーズに膨張させることができる。したがって、画像読取ユニット２と第１筐体１１との膨張量の差に起因して画像読取ユニット２が撓む事態を確実に回避できる。
【００５７】
また、胴部６２の周面は凹凸が小さいように形成されている。よって、画像読取ユニット２の膨張量が第１筐体１１の膨張量よりも大きくなった場合に、胴部６２が長孔５２１の内面に沿ってスムーズに移動（摺動）できる。
【００５８】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（８））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であり、特に限定されるものではなく、本発明の構成から実質的に逸脱しない範囲で種々の変更が可能である。
【００５９】
（１）図１を参照して説明したように、画像形成装置１００はカラー複写機であるが、本発明はこれに限定されない。画像形成装置が用紙Ｐに画像を形成する形態であればよい。例えば、画像形成装置がモノクロ複写機である形態でもよい。また、例えば、画像形成装置が複合機である形態でもよい。
【００６０】
（２）図１を参照して説明したように、画像読取ユニット２がＣＩＳを備えるが、本発明はこれに限定されない。画像読取ユニットが複数のレンズ及びＣＣＤ（Ｃｈａｒｇｅ  Ｃｏｕｐｌｅｄ  Ｄｅｖｉｃｅ）を備える形態でもよい。
【００６１】
（３）図２〜図４を参照して説明したように、第１筐体１１が４つの板状部材５１〜板状部材５４を備えるが、本発明はこれに限定されない。第１筐体１１が５つ以上の板状部材を備える形態でもよい。
【００６２】
（４）図２〜図４を参照して説明したように、板状部材５３及び板状部材５４は長孔を有しないが、本発明はこれに限定されない。板状部材５３が、第１板状部材５１と同様に鉛直方向に延びる長孔を備え、板状部材５４が、第２板状部材５２と同様に水平方向に延びる長孔を備える形態でもよい。
【００６３】
（５）図２〜図４を参照して説明したように、第１筐体１１が突出部（操作表示部４）を備えるが、本発明はこれに限定されない。第１筐体１１が突出部を備えない形態でもよい。この形態では、第１板状部材５１及び第２板状部材５２の一方が、鉛直方向に延びる長孔を備え、他方が水平方向に延びる長孔を備えればよい。
【００６４】
（６）図２〜図４を参照して説明したように、脚部２４１、脚部２４３、及び脚部２４４が第２筐体２０を支持するが、本発明はこれに限定されない。脚部２４１〜脚部２４４が第２筐体２０を支持する形態でもよい。
【００６５】
（７）図５を参照して説明したように、挿通部材が２段ネジ６であるが、本発明はこれに限定されない。挿通部材がビスである形態でもよい。この形態では、画像読取ユニット２をスムーズに膨張させるために、ビスの頭を第１板状部材５１及び第２板状部材５２に当接させないように、ビスを第２筐体２０に固定することが好ましい。
【００６６】
（８）図５を参照して説明したように、２段ネジ装着部２０４は凹部２０４ａを有するが、本発明はこれに限定されない。２段ネジ装着部２０４が凹部を有しない形態でもよい。この形態では、２段ネジ６の軸方向に沿った胴部６２の長さＬ６は、第２板状部材５２の厚みＬ５２より大きければよい。
【産業上の利用可能性】
【００６７】
本発明は、画像形成装置に利用可能である。
【符号の説明】
【００６８】
１００    画像形成装置
１    画像形成ユニット
１１  筐体
１１０  天板
１１１、１１２、１１３、１１４  側板
１１６、１１８  位置決め突起
１１７  ネジ穴
１２６、１２８  位置決め突起
１２７  ネジ穴
１４    画像形成部
１７    定着部
２    画像読取ユニット（画像読取部）
２０    筐体
２０１、２０３    ２段ネジ装着部
２０２、２０４    ネジ穴
２０２ａ、２０４ａ    凹部
２２    走査部
２２１    ＣＩＳユニット
４    操作表示部
５０    位置決め部
５（５１、５２、５３、５４）    板状部材
５１  第１板状部材
５１１  長孔
５１２、５１３，５１４  丸孔
５２  第２板状部材
５２１  長孔
５２２、５２３，５２４  丸孔
６  ２段ネジ（挿通部材）
６１  頭部
６２  胴部（連結部）
６３  ネジ部
【図１】
0006561921.tif 000002
【図２】
0006561921.tif 000003
【図３】
0006561921.tif 000004
【図４】
0006561921.tif 000005
【図５】
0006561921.tif 000006